(57)【要約】  蒸発材料の堆積速度を測定するための測定アセンブリ（１００）が記載される。測定アセンブリ（１００）は、堆積速度を測定するための第１の発振水晶（１１０）と、堆積速度を測定するための第２の発振水晶（１２０）と、可動シャッター（１４０）とを含む。可動シャッター（１４０）は、蒸発材料を第１の発振水晶（１１０）に提供するように方向付けられた第１の測定出口（１５１）から提供された蒸発材料を遮断するように構成されている。更に、可動シャッター（１４０）は、蒸発材料を第２の発振水晶（１２０）に提供するように方向付けられた第２の測定出口（１５２）から提供された蒸発材料を遮断するように構成されている。【選択図】図１Ａ
2018538429.tif 000002
【特許請求の範囲】
【請求項１】
蒸発材料の堆積速度を測定するための測定アセンブリ（１００）であって、
前記堆積速度を測定するための第１の発振水晶（１１０）と、
前記堆積速度を測定するための第２の発振水晶（１２０）と、
可動シャッター（１４０）であって、前記蒸発材料を前記第１の発振水晶（１１０）に提供するように方向付けられた第１の測定出口（１５１）から提供された前記蒸発材料を遮断するように構成されており、
前記蒸発材料を前記第２の発振水晶（１２０）に提供するように方向付けられた第２の測定出口（１５２）から提供された前記蒸発材料を遮断するように構成されている可動シャッター（１４０）と
を備える、測定アセンブリ（１００）。
【請求項２】
前記可動シャッターが、少なくとも１つの開孔（１６０）を有する回転可能な要素、特に回転可能なディスクであり、前記少なくとも１つの開孔（１６０）は、前記回転可能な要素が第１の状態にあるときに、前記第１の測定出口（１５１）から前記第１の発振水晶（１１０）まで提供された前記蒸発材料へのアクセスを提供するように構成されている、請求項１に記載の測定アセンブリ（１００）。
【請求項３】
前記少なくとも１つの開孔（１６０）は、前記回転可能な要素が第２の状態にあるときに、前記第２の測定出口（１５２）から前記第２の発振水晶（１２０）まで提供された前記蒸発材料へのアクセスを提供するように構成されている、請求項２に記載の測定アセンブリ（１００）。
【請求項４】
前記少なくとも１つの開孔（１６０）が、互いに直径方向に対向して配置されている第１の開孔（１６１）及び第２の開孔（１６２）を含む、請求項２又は３に記載の測定アセンブリ（１００）。
【請求項５】
前記少なくとも１つの開孔（１６０）が、前記第１の開孔（１６１）及び／又は前記第２の開孔（１６２）の対向する側に配置されている、第３の開孔（１６３）及び第４の開孔（１６４）を含み、前記第３の開孔（１６３）及び前記第４の開孔（１６４）が、前記第１の開孔（１６１）の半径方向の位置及び／又は前記第２の開孔（１６２）の半径方向の位置に実質的に対応する半径方向の位置に配置されている、請求項４に記載の測定アセンブリ（１００）。
【請求項６】
前記第１の発振水晶（１１０）及び／又は前記第２の発振水晶（１２０）の上に堆積した材料が蒸発できるように、前記第１の発振水晶（１１０）及び／又は前記第２の発振水晶（１２０）に熱を印加するように構成されたヒータ（１１４）を更に備える、請求項１から５の何れか一項に記載の測定アセンブリ（１００）。
【請求項７】
前記可動シャッター上に堆積した材料が蒸発できるように、前記可動シャッター（１４０）に熱を印加するように構成された前記可動シャッター（１４０）の中に設けられた更なるヒータ（１１５）を更に備える、請求項１から６の何れか一項に記載の測定アセンブリ（１００）。
【請求項８】
前記ヒータが、前記第１の発振水晶（１１０）の第１のホルダ及び前記第２の発振水晶（１２０）の第２のホルダの中に設けられる、請求項６に記載の測定アセンブリ（１００）。
【請求項９】
材料蒸発のための蒸発源（２００）であって、
材料を蒸発させるように構成されている蒸発るつぼ（２１０）と、
蒸発材料を堆積方向に提供するための一又は複数の出口（２２２）を有する分配アセンブリであって、前記蒸発るつぼと流体連通している分配アセンブリと、
請求項１から８の何れか一項に記載の測定アセンブリと
を備える蒸発源（２００）。
【請求項１０】
前記蒸発材料を前記測定アセンブリ（１００）の前記第１の発振水晶（１１０）に提供するための第１の測定出口（１５１）と、前記蒸発材料を前記測定アセンブリ（１００）の前記第２の発振水晶（１２０）に提供するための第２の測定出口（１５２）とを更に備える、請求項９に記載の蒸発源（２００）。
【請求項１１】
前記第１の測定出口（１５１）及び／又は前記第２の測定出口（１５２）が、前記蒸発源によって提供された全流量の１／７０から前記蒸発源によって提供された前記全流量の１／２５までの測定流を提供するように構成されている、請求項１０に記載の蒸発源（２００）。
【請求項１２】
前記第１の測定出口（１５１）及び前記第２の測定出口（１５２）が、前記分配アセンブリの端部の裏側に提供され、前記測定アセンブリ（１００）が、前記分配アセンブリの前記端部の前記裏側に配置され、前記分配アセンブリの前記端部の前記裏側が、前記堆積方向と反対方向に面する、請求項１１に記載の蒸発源（２００）。
【請求項１３】
請求項９から１２の何れか一項に記載の少なくとも１つの蒸発源（２００）を備える、堆積速度で真空チャンバ（３１０）の中の基板に材料を塗布するための堆積装置（３００）。
【請求項１４】
蒸発材料の堆積速度を測定するための方法（４００）であって、
材料を蒸発させること（４１０）と、
蒸発した前記材料の第１の部分を基板に塗布すること（４２０）と、
前記蒸発材料の第２の部分を第１の発振水晶及び／又は第２の発振水晶に転向させること（４３０）と、
請求項１から９の何れか一項に記載の測定アセンブリを使用することによって、前記堆積速度を測定すること（４４０）と
を含む方法（４００）。
【請求項１５】
前記蒸発材料の前記第１の発振水晶及び／又は前記第２の発振水晶へのアクセスが、前記可動シャッターによって遮断されるときに、前記第１の発振水晶及び／又は前記第２の発振水晶に熱を印加することによって、前記第１の発振水晶及び／又は前記第２の発振水晶を洗浄すること（４５０）を更に含む、請求項１４に記載の方法（４００）。
【発明の詳細な説明】
【技術分野】
【０００１】
本開示は、蒸発材料の堆積速度を測定するための測定アセンブリ、材料蒸発のための蒸発源、材料を基板に塗布するための堆積装置、及び蒸発材料の堆積速度を測定するための方法に関する。本開示は、特に、蒸発有機材料の堆積速度を測定するための測定アセンブリ及びそのための方法に関する。更に、本開示は、とりわけ、その内部に有機材料を含む装置、例えば、蒸発源及び有機材料のための堆積装置に関する。
【背景技術】
【０００２】
有機蒸発器は、有機発光ダイオード（ＯＬＥＤ）製造のためのツールである。ＯＬＥＤは、特殊な発光ダイオードであり、その中で発光層がある有機化合物の薄膜を含んでいる。有機発光ダイオード（ＯＬＥＤ）は、情報を表示するためのテレビ画面、コンピュータモニタ、携帯電話、その他の携帯型デバイスなどの製造時に使用される。ＯＬＥＤは、一般的な空間照明にも使用することができる。ＯＬＥＤディスプレイで可能な色、輝度、及び視野角の範囲は、ＯＬＥＤピクセルが直接発光し、バックライトを含んでいないので、従来のＬＣＤディスプレイの範囲よりも大きい。したがって、ＯＬＥＤディスプレイのエネルギー消費は、従来のＬＣＤディスプレイのエネルギー消費よりもかなり少ない。更に、実際、ＯＬＥＤは、フレキシブル基板上に製造することができ、更なる用途がもたらされる。
【０００３】
ＯＬＥＤの機能性は、有機材料のコーティング厚さ次第で決まる。この厚さは、所定範囲内でなければならない。ＯＬＥＤの製造において、有機材料によるコーティングが影響を受ける堆積速度は、所定の許容範囲内にあるように制御される。換言すれば、有機蒸発器の堆積速度は、製造プロセスにおいて完全に制御されなければならない。
【０００４】
したがって、ＯＬＥＤ用途だけでなく、他の蒸発処理についても、比較的長い時間にわたって高精度の堆積速度が必要とされる。利用可能な蒸発器の堆積速度を測定するための複数の測定システムがある。しかし、これらの測定システムは、所望の期間にわたって不十分な精度及び／又は不十分な安定性のいずれかを被る。
【０００５】
したがって、改良された堆積速度測定システム、堆積速度測定方法、蒸発器及び堆積装置の提供に対する継続的な需要がある。
【発明の概要】
【０００６】
上記に鑑み、独立請求項による蒸発材料の堆積速度を測定するための測定アセンブリ、蒸発源、堆積装置及び蒸発材料の堆積速度を測定するための方法が提供される。
【０００７】
本開示の１つの態様によれば、蒸発材料の堆積速度を測定するための測定アセンブリが提供される。測定アセンブリは、堆積速度を測定するための第１の発振水晶と、堆積速度を測定するための第２の発振水晶と、可動シャッターとを含む。可動シャッターは、蒸発材料を第１の発振水晶に提供するように方向付けられた第１の測定出口から提供された蒸発材料を遮断するように構成されている。更に、可動シャッターは、蒸発材料を第２の発振水晶に提供するように方向付けられた第２の測定出口から提供された蒸発材料を遮断するように構成されている。
【０００８】
本開示の別の態様によれば、材料蒸発のための蒸発源が提供される。蒸発源は、材料を蒸発させるように構成されている蒸発るつぼと、蒸発材料を提供するための一又は複数の出口を有する分配アセンブリとを含む。分配アセンブリは、蒸発るつぼと流体連通している。更に、蒸発源は、本明細書に記載の任意の実施形態による測定アセンブリを含む。
【０００９】
本開示の更に別の態様によれば、堆積速度で真空チャンバの中の基板に材料を塗布するための堆積装置が提供される。堆積装置は、本明細書に記載の任意の実施形態による少なくとも１つの蒸発源を含む。
【００１０】
本開示の別の態様によれば、蒸発材料の堆積速度を測定するための方法が提供される。方法は、材料を蒸発させることと、蒸発材料の第１の部分を基板に塗布することと、蒸発材料の第２の部分を第１の発振水晶及び／又は第２の発振水晶に転向させることと、本明細書に記載の任意の実施形態による測定アセンブリを使用することによって堆積速度を測定することとを含む。
【００１１】
更なる利点、特徴、態様、及び細部は、従属請求項、本明細書、及び図面から明らかである。
【００１２】
本開示の上記の特徴を詳細に理解することができるように、実施形態を参照することによって、上で簡単に概説した本開示のより具体的な説明を得ることができる。添付の図面は、本開示の実施形態に関連し、以下で説明される。
【図面の簡単な説明】
【００１３】
【図１】ＡからＣは、異なる状態における本明細書に記載の実施形態による、蒸発材料の堆積速度を測定するための測定アセンブリの概略図を示す。
【図２】ＡからＤは、異なる状態における本明細書に記載の更なる実施形態による、蒸発材料の堆積速度を測定するための測定アセンブリの概略側面図を示す。
【図３】本明細書に記載の更なる実施形態による測定アセンブリの一部の概略図を示す。
【図４】Ａ及びＢは、本明細書に記載の実施形態による蒸発源の概略側面図を示す。
【図５】本明細書に記載の実施形態による蒸発源の概略斜視図を示す。
【図６】本明細書に記載の実施形態による、真空チャンバの中の基板に材料を塗布するための堆積装置の概略上面図を示す。
【図７】Ａ及びＢは、本明細書に記載の蒸発材料の堆積速度を測定するための方法の実施形態を図示するブロック図を示す。
【発明を実施するための形態】
【００１４】
ここから、本開示の種々の実施形態が詳細に参照されることになり、そのうちの一又は複数の例が図示される。図面に関する以下の説明の中で、同じ参照番号は同じ構成要素を指している。下記において、個々の実施形態に関する違いのみが説明される。各実施例は、本開示の説明のために提供されているが、本開示を限定することが意図されているわけではない。更に、１つの実施形態の一部として図示及び説明されている特徴は、更に別の実施形態を得るために、他の実施形態で用いられてもよく、又は他の実施形態と併用されてもよい。本説明は、このような修正及び改変を含むことが意図されている。
【００１５】
本開示の様々な実施形態を更に詳細に説明する前に、本書で使用する幾つかの用語に対する幾つかの態様を説明する。
【００１６】
本開示において、「堆積速度を測定するための発振水晶は、発振水晶共振器の周波数における変化を測定することにより、単位面積当たりの発振水晶上の堆積材料の質量変化を測定するための発振水晶と理解され得る。特に、本開示において、発振水晶は、石英水晶共振器と理解され得る。より具体的には、「堆積速度を測定するための発振水晶」は、石英水晶マイクロバランス（ＱＣＭ）と理解され得る。
【００１７】
本開示において、「可動シャッター」は、測定アセンブリと、蒸発材料を測定アセンブリに提供するための測定出口との間に配置される可動要素と理解され得る。特に、「可動シャッター」は、測定アセンブリと測定出口との間の空間を移動するように構成されている要素と理解され得る。例えば、可動シャッターは、横方向に沿って移動可能であるように構成され得る。別の例によれば、可動シャッターは、回転可能に構成され得る。典型的には、可動シャッターは、可動シャッターの第１の状態において、測定出口を通して提供される蒸発材料の流れを遮断するだけではなく、可動シャッターの第２の状態において、測定出口を通して提供される蒸発材料の流れを遮断解除するようにも構成される。したがって、可動シャッターは、蒸発材料の測定アセンブリへのアクセスを制御するように構成される。
【００１８】
本開示において、「材料蒸発のための蒸発源」は、基板上に堆積する材料を提供するように構成された装置と理解され得る。特に、材料源は、真空堆積装置の真空堆積チャンバなどの真空チャンバの中で基板上に堆積する材料を提供するように構成され得る。幾つかの実施形態によれば、蒸発源は、基板上に堆積する材料を蒸発させる蒸発器又はるつぼと、分配アセンブリ、例えば、分配管又は垂直軸に沿って配置することができる一又は複数の点源とを含み得る。例えば、分配アセンブリは、例えば出口又はノズルを通して、基板に向かう方向に蒸発材料を放出するように構成することができる。
【００１９】
本開示では、「るつぼ」は、堆積する材料を提供又は含有する装置又はリザーバと理解され得る。典型的には、るつぼは、基板上で堆積する材料を蒸発させるために加熱され得る。るつぼは、るつぼにより蒸発させる材料が分配され得る分配アセンブリと流体連通した状態であってもよい。１つの実施例では、るつぼは、有機材料、例えば約１００℃から約６００℃までの蒸発温度を有する有機材料などを蒸発させるためのるつぼであってもよい。
【００２０】
本開示では、「流体連通」という用語は、流体連通している２つの要素が、接合を介して流体を交換することができ、それにより流体が２つの要素間を流れることができることと理解され得る。１つの実施例では、流体連通している要素とは、流体が流通し得る中空構造体を含み得る。幾つかの実施形態によると、流体連通している要素のうちの少なくとも１つは、管のような要素であり得る。
【００２１】
本開示において、「分配アセンブリ」は、蒸発材料を案内及び分配するための分配管、又は垂直軸に沿って配置することができる一又は複数の点源と理解され得る。特に、分配管又は一又は複数の点源は、蒸発器から分配管又は一又は複数の点源の出口（ノズル又は開孔など）に蒸発材料を提供するように構成され得る。例えば、分配アセンブリが分配管の形態である場合、分配管は、長手方向に延びる直線的分配管とすることができる。例えば、分配管は、円筒形状を有する管を含んでおり、円筒は、円形、三角形又は正方形のような底部形状、又は任意の他の適した底部形状を有し得る。
【００２２】
図１Ａから図１Ｃを例示的に参照すると、本明細書に記載の実施形態による蒸発材料の堆積速度を測定するための測定アセンブリ１００は、堆積速度を測定するための第１の発振水晶１１０と、堆積速度を測定するための第２の発振水晶１２０と、可動シャッター１４０とを含む。可動シャッター１４０は、蒸発材料を第１の発振水晶１１０に提供するように第１の測定出口１５１から提供された蒸発材料を遮断するように構成されている。特に、第１の測定出口１５１は、蒸発材料を第１の発振水晶１１０に提供するように方向付けられている。更に、可動シャッター１４０は、第２の測定出口１５２から提供された蒸発材料を遮断するように構成されている。特に、第２の測定出口１５２は、蒸発材料を第２の発振水晶１２０に提供するように方向付けられている。
【００２３】
特に、図１Ａは、第２の測定出口１５２を通って第２の発振水晶１２０に提供される蒸発材料のアクセスが遮断されるように、第２の測定出口１５２が可動シャッター１４０によって遮断される第１の状態における測定アセンブリを示す。更に、図１Ａに例示的に示されるように、第１の測定出口１５１を通って第１の発振水晶１１０に提供される蒸発材料のアクセスが提供される一方で、第２の測定出口１５２が遮断されるように、測定アセンブリは構成され得る。したがって、第２の発振水晶１２０が洗浄される間に、堆積速度が、第１の発振水晶１１０によって測定され得る。例えば、第２の発振水晶１２０は、加熱によって、特に、第２の発振水晶１２０上に堆積する蒸発材料の蒸発温度に対応する加熱温度を提供することによって、洗浄することができる。例えば、加熱温度は、可動シャッター１４０に提供される加熱要素及び／又は第２の発振水晶１２０のホルダに提供される加熱要素によって、提供することができる。
【００２４】
図１Ｂは、第１の発振水晶１１０と第２の発振水晶１２０との両方への蒸発材料のアクセスを提供するために、第１の測定出口１５１だけではなく第２の測定出口１５２も開放されている位置に可動シャッター１４０が移動した測定アセンブリの第２の状態を示す。したがって、第１の発振水晶１１０及び第２の発振水晶１２０は、堆積速度を測定するために用いられ、重複した測定（ｒｅｄｕｎｄａｎｔ  ｍｅａｓｕｒｅｍｅｎｔ）を実行することができる。
【００２５】
図１Ｃでは、第１の測定出口１５１を通って第１の発振水晶１１０まで提供される蒸発材料のアクセスが遮断される位置まで可動シャッター１４０が移動した際の測定アセンブリの第３の状態が示される。したがって、図１Ｃに例示的に示されるように、第１の発振水晶１１０が洗浄される間に、堆積速度が、第２の発振水晶１２０によって測定され得る。例えば、第１の発振水晶１１０は、加熱によって、特に、第１の発振水晶１１０上に堆積する蒸発材料の蒸発温度に対応する加熱温度を提供することによって、洗浄することができる。例えば、加熱温度は、可動シャッター１４０に提供される加熱要素及び／又は第１の発振水晶１１０のホルダに提供される加熱要素によって、提供することができる。
【００２６】
本明細書に記載の任意の他の実施形態と組み合わせることができる実施形態によれば、可動シャッターは、図１Ａ及び図１Ｃの可動シャッター１４０において矢印で例示的に示されている、可動シャッターの並進運動を提供するように構成されているドライバ、例えばリニアドライバに結合され得る。特に、ドライバは、第１の測定出口が遮断されている状態と、第２の測定出口が遮断されている第２の状態との間で、可動シャッターを移動させるように構成され得る。したがって、図１Ａから図１Ｃを例示的に参照すると、ドライバは、第１の測定出口及び第２の測定出口を遮断／遮断解除するための直線的横断交互運動のために構成することができると理解されよう。
【００２７】
したがって、本明細書に記載の測定アセンブリは、蒸発材料の堆積速度を連続的に測定する可能性を提供する。特に、第２の発振水晶を洗浄することができる間に、堆積速度を第１の発振水晶によって測定することができる測定アセンブリを提供することによって、改良された測定アセンブリが提供される。例えば、堆積速度測定の精度に対する堆積材料のマイナス効果は、第１の発振水晶及び第２の発振水晶が交互に洗浄され得るため、低減する又は除外することさえできる。更に、本明細書に記載の測定アセンブリは、重複した堆積速度測定を行う可能性を提供する。例えば、第１の測定出口及び第２の測定出口が開放されている測定アセンブリの状態、即ち、第１の測定出口及び第２の測定出口を通して提供される蒸発材料のアクセスが、第１の発振水晶だけではなく第２の発振水晶にも提供される状態において、両発振水晶は、測定精度を高めるのに有利である堆積速度測定に使用され得る。
【００２８】
図２Ａから図２Ｄを例示的に参照すると、更なる実施形態による蒸発材料の堆積速度を測定するための測定アセンブリ１００が記載される。本明細書に記載の任意の他の実施形態と組み合わせることができる実施形態によれば、可動シャッター１４０は、少なくとも１つの開孔１６０を有する回転可能な要素であり得る。少なくとも１つの開孔１６０は、図２Ａに例示的に示されるように、回転可能な要素が第１の状態にあるとき、第１の測定出口から第１の発振水晶１１０まで提供される蒸発材料に対するアクセスを提供するように構成することができる。例えば、回転可能な要素は、図２Ａから図２Ｄに例示的に示されるように、実質的に円形を有する回転可能なディスクであり得る。代替的には、回転可能な要素は、楕円形、長方形又は任意の他の適した形状を有する回転可能なプレートであってもよい。
【００２９】
例えば、回転可能な要素は、図２Ａから図２Ｄに例示的に示されるように、回転可能な要素の回転軸周囲で回転移動を提供するように構成されているドライバに結合され得る。
【００３０】
本明細書に記載の任意の他の実施形態と組み合わせることができる実施形態によれば、少なくとも１つの開孔１６０は、回転可能な要素が第２の状態にあるときに、第２の測定出口から第２の発振水晶１２０まで提供された蒸発材料へのアクセスを提供するように構成されている。例えば、第２の測定出口から第２の発振水晶１２０まで提供される蒸発材料のアクセスは、少なくとも１つの開孔を有する回転可能な要素が、図２Ａに例示的に示されるように、第１の状態から第２の状態まで１８０°回転するときに提供することができる。
【００３１】
図２Ａから図２Ｄを例示的に参照すると、本明細書に記載の任意の他の実施形態と組み合わせることができる実施形態によれば、少なくとも１つの開孔１６０は、互いに直径方向に対向して配置されている第１の開孔１６１及び第２の開孔１６２を含み得る。そのような構成は、重複した位置測定を実行できるように、第１の発振水晶及び第２の発振水晶への蒸発材料の同時のアクセスを提供するのに特に有利である。
【００３２】
更に、本明細書に記載の任意の他の実施形態と組み合わせることができる実施形態によれば、少なくとも１つの開孔１６０は、第３の開孔１６３及び第４の開孔１６４を含み得、これらは、図２Ａから図２Ｃに例示的に示されるように、第１の開孔１６１の対向する側に配置することができる。追加的に又は代替的には、第３の開孔１６３及び第４の開孔１６４は、第２の開孔（１６２）の対向する側（明確に図示されず）に配置することができる。特に、第３の開孔１６３及び第４の開孔１６４は、第１の開孔１６１の半径方向の位置及び／又は第２の開孔１６２の半径方向の位置に実質的に対応する半径方向の位置に配置することができる。少なくとも１つの開孔の半径方向の位置、例えば、第１の開孔１６１、第２の開孔１６２、第３の開孔１６３及び第４の開孔１６４の半径方向の位置は、矢印Ｒ及び点線の円によって図２Ａから図２Ｄに例示的に示されている。
【００３３】
例えば、図２Ｃに例示的に示されるように、第３の開孔１６３及び第４の開孔１６４は、第１の開孔１６１の位置に対してα＝４５°の角度αで提供することができる。明確に図示されていないが、追加的に又は代替的には、第３の開孔１６３及び第４の開孔１６４は、第２の開孔１６２の位置に対してα＝４５°の角度αで提供することができる。したがって、図２Ａから図２Ｄから理解できるように、４つの異なる状態：図２Ａに例示的に示されるように、第１の測定出口を通って提供される蒸発材料のアクセスが第１の発振水晶１１０に提供される一方で、第２の測定出口を通って第２の発振水晶１２０に提供される蒸発材料のアクセスが遮断される、第１の状態；図２Ｂに例示的に示されるように、第１の測定出口及び第２の測定出口が遮断される、第２の状態；図２Ｃに例示的に示されるように、第２の測定出口を通って第２の発振水晶１２０に提供される蒸発材料のアクセスが提供される一方で、第１の測定出口を通って第１の発振水晶１１０に提供される蒸発材料のアクセスが遮断される、第３の状態；並びに第２の測定出口を通って第２の発振水晶１２０に提供される蒸発材料のアクセス、及び第１の測定出口を通って第１の発振水晶１１０に提供される蒸発材料のアクセスが提供される第４の状態を実現できる可動シャッターを提供することができる。
【００３４】
したがって、本明細書に記載の測定アセンブリの可動シャッターは、第１の測定出口から第１の発振水晶に提供される蒸発材料の遮断／遮断解除だけではなく、第２の測定出口から第２の発振水晶に提供される蒸発材料の遮断／遮断解除のためにも構成される。この結果、第一の測定出口が遮断される一方で、同時に堆積速度測定が第２の発振水晶で実行できるとき、又はその逆のときも、第１の発振水晶は、例えば加熱によって、洗浄することができる。したがって、継続的な堆積速度測定を実行することができる改良された測定アセンブリが提供される。更に、本明細書に記載の実施形態による測定アセンブリは、測定に使用される発振水晶のインシトゥ洗浄の可能性を提供する。
【００３５】
図２Ａから図２Ｄに例示的に示されるように、本明細書に記載の他の実施形態と組み合わせることができる実施形態によれば、第１の発振水晶１１０及び第２の発振水晶１２０は、ホルダ１５０に固定することができる。図２Ｃを例示的に参照すると、本明細書に記載の他の実施形態と組み合わせることができる幾つかの実施形態によれば、ホルダ１５０は、シャッター上に堆積した材料、特にホルダに面しているシャッター側に堆積した材料を、熱を加えることによって蒸発させることができるように構成及び配置されている少なくとも１つの加熱要素１７０を含み得る。したがって、シャッターは、シャッター上に堆積した材料を洗浄することができる。例えば、図２Ｃに例示的に示されるように、少なくとも１つの加熱要素１７０は、第１の加熱要素１７１及び／又は第２の加熱要素１７２及び／又は第３の加熱要素１７３及び／又は第４の加熱要素１７４及び／又は第５の加熱要素１７５及び／又は第６の加熱要素１７６を含み得る。特に、加熱要素は、円形状にホルダ１５０において、例えば、少なくとも１つの開孔１６０が可動シャッター１４０内に設けられる際の半径Ｒに実質的に対応する半径Ｒを有する円において、配置され得る。例示的実施態様によれば、加熱要素は、図２Ｃに例示的に示されるように、例えば隣接する加熱要素の間を４５°の角度で、互いに等しく間隔を空けて配置される。代替的には、図２Ｄに例示的に示されるように、少なくとも１つの加熱要素１７０は、図２Ｄに例示的に示されるように、少なくとも１つの開孔１６０の少なくとも孔に対応する幅を有するリングセグメント要素として構成され得る。例えば、第１のリングセグメント加熱要素１７７及び第２のリングセグメント加熱要素１７８が提供され得る。更に、少なくとも１つの加熱要素１７０が、任意の適した形状又は構成を有し得ると理解されよう。
【００３６】
図３を例示的に参照すると、本明細書に記載の任意の他の実施形態と組み合わせることができる実施形態によれば、測定アセンブリは、第１の発振水晶１１０及び／又は第２の発振水晶１２０の上に堆積した材料が蒸発できるように、第１の発振水晶１１０及び／又は第２の発振水晶１２０に熱を印加するように構成されたヒータ１１４を含み得る。例えば、ヒータ１１４は、第１の発振水晶１１０及び／又は第２の発振水晶１２０が配置され得るホルダ１５０内に提供され得る。ホルダ１５０は、測定孔１２２を含み、これは、蒸発材料が、蒸発材料の堆積速度を測定するために第１の発振水晶１１０及び／又は第２の発振水晶１２０の上に堆積するように構成及び配置することができる。追加的に又は代替的には、図３に例示的に示されるように、更なるヒータ１１５が可動シャッター１４０、例えば、図１Ａから図１Ｃを参照して記載された可動シャッター、又は図２Ａから図２Ｄを参照して記載された可動シャッターなどの中に提供され得る。特に、可動シャッター１４０内に設けられる更なるヒータ１１５は、可動シャッター上に堆積した材料が蒸発できるように、熱を可動シャッターに印加するために構成される。典型的には、ヒータ１１４及び／又は更なるヒータ１１５は、発振水晶及び／又はシャッターの上に堆積した材料の少なくとも蒸発温度に対応する加熱温度を提供するように構成される。したがって、発振水晶は、本明細書に記載されるような加熱によって洗浄され得る。更に、またシャッターは、シャッターを加熱することによって洗浄され得る。
【００３７】
図３を例示的に参照すると、本明細書に記載の他の実施形態と組み合わせることができる幾つかの実施形態によれば、可動シャッター１４０は、熱保護シールド１１６を含み得る。図３に例示的に示されるように、熱保護シールド１１６は、測定出口、例えば第１の測定出口１５１又は第２の測定出口１５２などに面している可動シャッター１４０側に配置され得る。特に、熱保護シールド１１６は、測定出口を通って供給される蒸発材料によって供給される熱エネルギーを反射するように構成され得る。本明細書に記載の他の実施形態と組み合わせることができる実施形態によれば、熱保護シールド１１６は、プレート、例えばシート金属であり得る。代替的には、熱保護シールド１１６は、例えば０．１ｍｍ以上の間隙によって、互いに対して間隔が空いている、２以上のプレート、例えばシート金属を含み得る。例えば、シート金属は、０．１ｍｍから３．０ｍｍの厚さを有していてもよい。とりわけ、熱保護シールドは、鉄材料又は非鉄材料、例えば、銅（Ｃｕ）、アルミニウム（Ａｌ）、銅合金、アルミニウム合金、黄銅、鉄、チタン（Ｔｉ）、セラミック及び他の適した材料から成る群から選択された少なくとも１つを含む。
【００３８】
本明細書に記載の任意の他の実施形態と組み合わせることができる実施形態によれば、可動シャッター１４０の更なるヒータ１１５が、発振水晶、例えば、第１の発振水晶１１０又は第２の発振水晶１２０に面する可動シャッター１４０の側に提供され得る。したがって、本明細書に記載のヒータを例えばホルダ又はシャッター内に設けることによって、本明細書に記載の測定アセンブリの発振水晶は、ヒータで熱を印加することによって、発振水晶上の堆積材料を蒸発させることによりインシトゥで洗浄され得る。これは、発振水晶の寿命全体及び達成可能な測定精度に有益であり得る。
【００３９】
本明細書に記載の他の実施形態と組み合わせることができる実施形態によれば、測定アセンブリ１００は、熱交換器１３２を含み得る。とりわけ、熱交換器は、例えば、発振水晶に隣接又は近接して及び／又はヒータ１１４に隣接又は近接して、ホルダの中に配置され得る。熱交換器１３２は、発振水晶と及び／又はホルダ１５０と及び／又はヒータ１１４と熱を交換するように構成され得る。例えば、熱交換器は、冷却流体がそれを通って供給されるチューブを含み得る。冷却流体は、水などの液体、又は空気などの気体であり得る。追加的に又は代替的には、熱交換器は、一又は複数のペルチェ素子を含み得る。典型的には、熱交換器は、発振水晶の測定中に用いられ、ヒータにより発振水晶を加熱することによって行われる洗浄手順中には、電源が切られる。したがって、測定アセンブリに熱交換器１３２を設けることによって、堆積速度測定の質、精度及び安定性への高温のマイナス効果は、低減され又は排除さえされ得る。とりわけ、測定アセンブリに熱交換器を設けることは、堆積速度測定デバイスから堆積材料を蒸発させるために、測定デバイスが加熱によって洗浄された後に測定デバイスを冷却するのに有益であり得る。
【００４０】
図３を例示的に参照すると、本明細書に記載の他の実施形態と組み合わせることができる実施形態によれば、測定アセンブリ１００は、発振水晶及び／又はホルダ１５０の温度を測定するための温度センサ１１７を含み得る。測定アセンブリ１００に温度センサ１１７を設けることによって、測定アセンブリの温度についての情報が得られ、発振水晶が不正確に測定されるような臨界温度が検出され得る。したがって、発振水晶の臨界温度が温度センサによって検出される場合、例えば、熱交換器を用いることによる冷却が開始されるなどの適切な反応が開始され得る。
【００４１】
本明細書に記載の他の実施形態と組み合わせることができる実施形態によれば、とりわけ堆積速度を測定するための測定アセンブリ１００は、発振水晶の温度及び／又はホルダの温度を制御するための温度制御システムを含み得る。とりわけ、温度制御システムは、一又は複数の温度センサ１１７、熱交換器１３２、ヒータ１４４及びセンサコントローラ１３３を含み得る。図７Ｂに例示的に示されるように、センサコントローラ１３３は、温度センサ１１７によって測定されたデータを受信するために温度センサ１１７に結合され得る。更に、センサコントローラ１３３は、ホルダ１５０及び／又は発振水晶の温度を制御するために熱交換器１３２に結合され得る。更に、センサコントローラ１３３は、例えば、前述の洗浄中に、ホルダ１５０及び／又は発振水晶の加熱温度を制御するために、ヒータ１４４及び／又は更なるヒータ１１５に結合され得る。
【００４２】
図４Ａ及び図４Ｂは、本明細書に記載の実施形態による蒸発源２００の概略側面図を示す。実施形態によれば、蒸発源２００は、材料、例えば有機材料を蒸発させるように構成されている蒸発るつぼ２１０を含む。更に、蒸発源２００は、分配管、例えば、図４Ｂに典型的に示されるように、蒸発材料を提供するための分配アセンブリの長さに沿って設けられた一又は複数の出口２２２を有する分配管２２０を含む。実施形態によれば、分配管２２０は、例えば蒸気導管を介して、蒸発るつぼ２１０と流体連通している。蒸気導管は、分配管の下端に設けることができる。更に、本明細書に記載の実施形態による蒸発源２００は、例えば図１Ａから図３までを参照して説明されるように、本明細書に記載の実施形態による測定アセンブリ１００を含む。
【００４３】
図４Ａ及び図４Ｂに例示的に示されるように、本明細書に記載の他の実施形態と組み合わせることができる実施形態によれば、蒸発源２００は、測定アセンブリ１００及び蒸発源２００に結合されたコントローラ２５０を含み得る。本明細書に記載されるように、コントローラ２５０は、堆積速度を調節するために、第１の制御信号２５１を蒸発源２００に、特に蒸発るつぼ２１０に提供し得る。典型的には、コントローラ２５０は、測定アセンブリ１００によって得られた測定データを受信及び分析するように構成される。更に、コントローラ２５０は、例えば堆積速度測定アセンブリのシャッターの位置を制御するために、第２の制御信号２５２を堆積速度測定アセンブリに提供し得る。例えば、シャッターの位置は、蒸発材料を第１の発振水晶に提供するための第１の測定出口をシャッターによって遮断でき、及び／又は蒸発材料を第２の発振水晶に提供するための第２の測定出口をシャッターによって遮断できるように、制御され得る。したがって、測定アセンブリの第１の発振水晶及び第２の発振水晶のうちの１つは、もう１つの発振水晶を堆積速度測定に使用する間に、洗浄することができる。
【００４４】
図４Ａに例示的に示されるように、本明細書に記載の他の実施形態と組み合わせることができる実施形態によれば、分配アセンブリは、加熱要素２１５を含む細長いチューブ、例えば分配管であり得る。蒸発るつぼ２１０は、材料、例えば、有機材料を、るつぼ加熱ユニット２２５で蒸発させるためのリザーバとすることができる。例えば、るつぼ加熱ユニット２２５は、蒸発るつぼ２１０の筐体内に設けられ得る。本明細書に記載の他の実施形態と組み合わせることができる実施形態によれば、分配アセンブリ、特に分配管２２０は、線源を提供し得る。例えば、図４Ｂに例示的に示されるように、ノズルなどの複数の出口２２２は、少なくとも１つの線に沿って配置することができる。代替的実施形態（図示されず）によれば、少なくとも１つの線に沿って延びるスリットなどの１つの細長い孔が設けられ得る。本明細書に記載の他の実施形態と組み合わせることができる幾つかの実施形態によれば、線源は、本質的に垂直に延び得る。
【００４５】
本明細書に記載の他の実施形態と組み合わせることができる幾つかの実施形態によれば、分配管の長さは、堆積装置において材料が堆積する基板の高さに対応し得る。代替的には、分配管の長さは、材料が堆積する基板の高さよりも長く、例えば少なくとも１０％又は２０％さえ長いことがある。これにより、基板の上端及び／又は基板の下端における均一な堆積を提供することができる。例えば、分配管の長さは、１．３ｍ以上、例えば２．５ｍ以上であってよい。
【００４６】
本明細書に記載の他の実施形態と組み合わせることができる実施形態によれば、蒸発るつぼ２１０は、図４Ａに例示的に示されるように、分配管の下端に設けられ得る。例えば有機材料などの材料は、蒸発るつぼ２１０で蒸発させることができる。蒸発材料は、分配管の底部で分配管に侵入し、分配管２２０の複数の出口２２２を通して本質的に横向きに、例えば、本質的に垂直な基板に向かって、案内され得る。図２Ｂを例示的に参照すると、本明細書に記載の実施形態による測定アセンブリ１００は、分配管２２０の上部分、例えば分配管２２０の上端に設けられ得る。
【００４７】
図４Ｂに例示的に示されるように、本明細書に記載の他の実施形態と組み合わせることができる実施形態によれば、第１の測定出口１５１及び第２の測定出口１５２は、分配アセンブリの壁、例えば分配管の裏側２２４Ａの壁、特に裏側２２４Ａにおける壁の上部分に設けられ得る。明確に示されていないが、本明細書に記載の他の実施形態と組み合わせることができる実施形態によれば、第１の測定出口１５１及び第２の測定出口１５２は、分配アセンブリの上壁２２４Ｃ、特に分配アセンブリの上部水平上壁に設けられ得る。図４Ｂの矢印によって例示されるように、蒸発材料は、分配管２２０の内側から測定出口１５１及び／又は測定出口１５２を通って測定アセンブリ１００まで提供され得る。したがって、第１の測定出口１５１及び／又は第２の測定出口１５２は、蒸発材料を第１の発振水晶及び／又は第２の発振水晶に提供できるように配置され、方向付けられる。例えば、測定アセンブリ１００は、分配アセンブリの裏側２２４Ａ、特に分配管２２０などの分配アセンブリの上端部分の裏側２２４Ａに配置することができる。典型的には、分配アセンブリの端部の裏側は、堆積方向と反対方向に面している。幾つかの実施形態によれば、測定アセンブリ１００は、分配アセンブリ、特に分配管２２０の上端部分の裏側２２４Ａに装着することができる。
【００４８】
本明細書に記載の他の実施形態と組み合わせることができる実施形態によれば、第１の測定出口１５１及び／又は第２の測定出口１５２は、０．５ｍｍから４ｍｍまでの孔を有し得る。更に、第１の測定出口１５１及び／又は第２の測定出口１５２は、ノズルを含み得る。例えば、ノズルは、測定アセンブリ１００に提供される蒸発材料の流れを調節するための調節可能な孔を含み得る。とりわけ、ノズルは、蒸発源によって提供される全流量の１／７０の下限、特に蒸発源によって提供される全流量の１／６０の下限、更に具体的には蒸発源によって提供される全流量の１／５０の下限から、蒸発源によって提供される全流量の１／４０の上限、特に蒸発源によって提供される全流量の１／３０の上限、更に具体的には蒸発源によって提供される全流量の１／２５の上限までの範囲から選択される測定流量を提供するように構成され得る。例えば、ノズルは、蒸発源によって提供される全流量の１／５４の測定流量を提供するように構成され得る。
【００４９】
図５は、本明細書に記載の実施形態による蒸発源２００の斜視図を示す。図５に典型的に示されるように、分配管２２０は、三角形状に設計され得る。上記のように、三角形状の分配管２２０は、２以上の分配管が互いに隣合わせに配置される場合に有利であり得る。特に、三角形状の分配管２２０により、隣接する分配管の出口は、互いにできるだけ接近させることが可能になる。これにより、例えば、２つ、３つ又は更に多い異なる材料の同時蒸発の場合など、異なる分配管からの異なる材料の混合が改良可能となる。更に、図５に示される実施形態は、典型的には、蒸発材料を測定アセンブリ１００の第１の発振水晶に提供するための第１の測定出口１５１、及び蒸発材料を測定アセンブリ１００の第２の発振水晶に提供するための第２の測定出口１５２が、例えば、図４Ａ及び図４Ｂを参照して例示的に記載される分配管の上端に提供されることを示している。
【００５０】
図５を例示的に参照すると、分配管２２０は、壁、例えば側壁２２４Ｂ及び分配管の裏側２２４Ａの壁を含み得る。図５に例示的に示されるように、第１の測定出口１５１及び第２の測定出口１５２は、分配管２２０の裏側２２４Ａの壁に設けられ得る。更に、側壁２２４Ｂ及び裏側２２４Ａの壁は、加熱要素２１５によって加熱することができる。例えば、加熱要素２１５は、図５に例示的に示されるように、分配管２２０の壁に装着され得る又は取り付けられ得る。本明細書に記載の他の実施形態と組み合わせることができる幾つかの実施形態によれば、蒸発源２００は、シールド２０４を含み得る。シールド２０４は、堆積エリアの方への熱放射を低減し得る。更に、シールド２０４は、冷却要素２１６によって冷却され得る。例えば、冷却要素２１６は、シールド２０４に装着され、流体を冷却するための導管を含み得る。
【００５１】
図６は、本明細書に記載の実施形態による真空チャンバ３１０の中の基板３３３に材料を塗布するための堆積装置３００の概略上面図を示す。本明細書に記載の他の実施形態と組み合わせることができる実施形態によれば、堆積装置３００は、本明細書に記載の蒸発源２００を含む。特に、蒸発源２００は、堆積装置３００の真空チャンバ３１０に、例えば、線形ガイド３２０又はループ状軌道などの軌道上に提供され得る。線形ガイド３２０の軌道が、蒸発源２００の並進運動のために構成されてもよい。したがって、並進運動のためのドライバは、真空チャンバ３１０内の軌道及び／又は線形ガイド３２０において、蒸発源２００に提供することができる。本明細書に記載の他の実施形態と組み合わせることができる実施形態によれば、隣接する真空チャンバ（図６には示されず）への真空密閉を可能にする、第１のバルブ３０５、例えばゲートバルブが設けられてもよい。第１のバルブは、基板３３３又はマスク３３２の真空チャンバ３１０内への又は真空チャンバ３１０から外への搬送のために開放することができる。
【００５２】
本明細書に記載の他の実施形態と組み合わせることができる幾つかの実施形態によれば、保守真空チャンバ３１１などの更なる真空チャンバが、図６に典型的に示されるように、真空チャンバ３１０に隣接して設けられてもよい。したがって、真空チャンバ３１０及び保守真空チャンバ３１１は、第２のバルブ３０７に結合され得る。第２のバルブ３０７は、真空チャンバ３１０と保守真空チャンバ３１１との間の真空密閉を開閉するように構成され得る。蒸発源２００は、第２のバルブ３０７が開放状態にある間、保守真空チャンバ３１１に移送することができる。その後、第２のバルブ３０７は、真空チャンバ３１０と保守真空チャンバ３１１との間に真空密閉を設けるよう閉じることができる。第２のバルブ３０７が閉じられる場合、保守真空チャンバ３１１は、真空チャンバ３１０の中の真空を破壊せずに、蒸発源２００保守のために換気及び開放することができる。
【００５３】
図６に典型的に示されるように、２つの基板は、真空チャンバ３１０内のそれぞれの搬送軌道上で支持され得る。更に、その上にマスクを提供するための２つの軌道を設けることができる。したがって、コーティング中に、基板３３３は、それぞれのマスクによってマスキングすることができる。例えば、マスクは、マスク３３２を所定の位置に保持するために、マスクフレーム３３１に設けられ得る。
【００５４】
本明細書に記載の他の実施形態と組み合わせることができる幾つかの実施形態によれば、基板３３３は、位置合わせユニット３１２に結合させることができる基板支持体３２６によって支持され得る。位置合わせユニット３１２は、マスク３３２に対する基板３３３の位置を調節し得る。図６に典型的に示されるように、基板支持体３２６は、位置合わせユニット３１２に結合され得る。したがって、基板は、材料の堆積中に、基板とマスクとの間で正確な位置合わせを行うために、マスク３３２に対して移動するのだが、これは高品質なディスプレイ製造に有益であり得る。代替的に又は追加的に、マスク３３２及び／又はマスク３３２を保持するマスクフレーム３３１は、位置合わせユニット３１２に結合することができる。したがって、マスク３３２を基板３３３に対して位置付けることができるか、マスク３３２及び基板３３３の双方を互いに対して位置付けることができるかのどちらかである。
【００５５】
図６に示されるように、線形ガイド３２０は、蒸発源２００の並進運動の方向を提供し得る。蒸発源２００の両側に、マスク３３２が提供されてもよい。マスクは、並進運動の方向に実質的に平行に延び得る。更に、蒸発源２００の対向面の基板はまた、並進運動の方向に本質的に平行に延びることができる。図６に典型的に示されるように、堆積装置３００の真空チャンバ３１０に設けられた蒸発源２００は、線形ガイド３２０に沿った並進運動のために構成され得る支持体２０２を含み得る。例えば、支持体２０２は、２つの蒸発るつぼ、及びそれぞれの蒸発るつぼの上に設けられた２つの分配管２２０を支持し得る。幾つかの実施形態によれば、支持体２０２は、３つの蒸発るつぼ、及びそれぞれの蒸発るつぼの上に設けられた３つの分配管２２０を支持し得る。これにより、蒸発るつぼで生成された蒸気は、上に向かって、分配管の一又は複数の排出口から移動することができる。蒸発源の蒸発管は、実質的に三角形の断面を有し得る。三角形状の分配管により、基板上に蒸発材料を堆積させるための、隣接する分配管の出口、例えばノズルを、互いにできるだけ接近させることが可能になる。これにより、例えば、２つ、３つ又は更に多い異なる材料の同時蒸発の場合など、異なる分配管からの異なる材料の混合が改良可能となる。
【００５６】
したがって、本明細書に記載の堆積装置は、改善された品質のディスプレイ製造、特にＯＬＥＤ製造を提供する。
【００５７】
図７Ａ及び図７Ｂに示されたブロック図を例示的に参照すると、蒸発材料の堆積速度を測定するための方法の実施形態が説明される。本明細書に記載の任意の他の実施形態と組み合わせることができる実施形態によれば、蒸発材料の堆積速度を測定するための方法４００は、材料、例えば有機材料を蒸発させること４１０と；蒸発材料の第１の部分を基板に塗布すること４２０と；蒸発材料の第２の部分を第１の発振水晶及び／又は第２の発振水晶に転向させること４３０と；本明細書に記載の任意の実施形態による測定アセンブリ１００を使用することによって堆積速度を測定すること４４０とを含む。
【００５８】
したがって、本明細書に記載の実施形態による蒸発材料の堆積速度を測定するための方法を用いることによって、堆積速度は、非常に高い精度で測定され得る。特に、本明細書に記載される蒸発材料の堆積速度を測定するための方法を用いることによって、測定精度を下げる可能性のある発振水晶への熱的効果が低減され得る。特に、堆積速度測定の質、精度及び安定性への高温のマイナス効果は、低減され又は排除さえされ得る。更に、本明細書に記載の実施形態による蒸発材料の堆積速度を測定するための方法は、堆積速度を重複して測定することを提供し、測定結果の質及び精度を更に高め得る。更に、本明細書に記載の蒸発材料の堆積速度を測定するための方法は、第１の発振水晶及び第２の発振水晶のうちの１つを、もう１つの発振水晶が堆積速度測定に使用されている間に洗浄できる可能性を提供する。
【００５９】
本明細書に記載の他の実施形態と組み合わせることができる実施形態によれば、材料を蒸発させること４１０は、本明細書に記載されるような蒸発るつぼ２１０を使用することを含む。更に、蒸発材料の第１の部分を基板に塗布すること４２０は、本明細書に記載の実施形態による蒸発源２００を使用することを含み得る。本明細書に記載の他の実施形態と組み合わせることができる実施形態によれば、蒸発材料の第２の部分を第１の発振水晶及び／又は第２の発振水晶に転向させること４３０は、本明細書に記載の第１の測定出口１５１及び／又は第２の測定出口１５２を使用することを含み得る。とりわけ、蒸発材料の第２の部分を第１の測定出口１５１及び／又は第２の測定出口１５２に転向させること４３０は、蒸発源によって提供される全流量の１／７０の下限、特に蒸発源によって提供される全流量の１／６０の下限、更に具体的には蒸発源によって提供される全流量の１／５０の下限から、蒸発源によって提供される全流量の１／４０の上限、特に蒸発源によって提供される全流量の１／３０の上限、更に具体的には蒸発源によって提供される全流量の１／２５の上限までの範囲から選択される測定流量を提供することを含み得る。例えば、蒸発材料の第２の部分を第１の測定出口１５１及び／又は第２の測定出口１５２に転向させること４３０は、蒸発源によって提供される全流量の１／５４の測定流量を提供することを含み得る。
【００６０】
本明細書に記載の他の実施形態と組み合わせることができる実施形態によれば、堆積速度を測定すること４４０は、本明細書に記載の温度制御システムによって、測定アセンブリ１００、特に、第１の発振水晶及び／又は第２の発振水晶と熱を交換することを含み得る。したがって、本明細書に記載の測定アセンブリ、特に第１の発振水晶及び／又は第２の発振水晶と熱を交換することによって、堆積速度測定の質、精度及び安定性への高温のマイナス効果は、低減され又は排除さえされ得る。とりわけ、本明細書に記載の測定アセンブリと熱を交換することによって、第１の発振水晶及び／又は第２の発振水晶の熱変動は、低減され又は排除さえされ得、このことは、堆積速度測定精度に有利であり得る。したがって、本明細書に記載の堆積速度を測定するための方法を用いることは、高品質なディスプレイ製造、特にＯＬＥＤ製造に有利であり得る。
【００６１】
図７Ｂを例示的に参照すると、本明細書に記載の他の実施形態と組み合わせることができる実施形態によれば、蒸発材料の堆積速度を測定するための方法４００は、蒸発材料の第１の発振水晶へのアクセスが、本明細書に記載の実施形態による可動シャッターによって遮断されるとき、第１の発振水晶に熱を印加することによって第１の発振水晶を洗浄すること４５０を更に含み得る。したがって、蒸発材料の堆積速度を測定するための方法４００は、蒸発材料の第２の発振水晶へのアクセスが、本明細書に記載の実施形態による可動シャッターによって遮断されるとき、第２の発振水晶に熱を印加することによって第２の発振水晶を洗浄すること４５０を含み得る。
【００６２】
上記に鑑み、本明細書に記載されるような蒸発材料の堆積速度を測定するための測定アセンブリの実施形態、蒸発源の実施形態、堆積装置の実施形態及び堆積速度を測定するための方法の実施形態は、堆積速度を重複して測定する可能性だけではなく、第１の発振水晶及び第２の発振水晶のうちの１つを、もう１つの発振水晶が堆積速度測定に使用されている間に洗浄する可能性も提供する。したがって、高品質ディスプレイの製造、例えば、高品質ＯＬＥＤの製造などのための改良された堆積速度測定を提供することができる。
【図１Ａ】
2018538429.tif 000003
【図１Ｂ】
2018538429.tif 000004
【図１Ｃ】
2018538429.tif 000005
【図２Ａ】
2018538429.tif 000006
【図２Ｂ】
2018538429.tif 000007
【図２Ｃ】
2018538429.tif 000008
【図２Ｄ】
2018538429.tif 000009
【図３】
2018538429.tif 000010
【図４Ａ】
2018538429.tif 000011
【図４Ｂ】
2018538429.tif 000012
【図５】
2018538429.tif 000013
【図６】
2018538429.tif 000014
【図７Ａ】
2018538429.tif 000015
【図７Ｂ】
2018538429.tif 000016
【国際調査報告】
2018538429.tif 000017
2018538429.tif 000018
2018538429.tif 000019
2018538429.tif 000020
2018538429.tif 000021